(57)【要約】【課題】ピストン状部材に取り付けられている複数のシール部材の中のどのシール部材が損傷した場合であっても簡単に交換をすることができる内視鏡の操作弁を提供すること。【解決手段】シリンダ状部材１１内に軸線方向に進退自在に配置されたピストン状部材２０に、シリンダ状部材１１の内周面との間を軸線方向に間隔をあけた複数箇所でシールするように複数のシール部材３１Ａ〜３１Ｅ，３２が装着されて、ピストン状部材２０を軸線方向に移動操作することにより複数の流体管路１４ａ〜１７ａの連通状態が切り換わるようにした内視鏡の操作弁において、複数のシール部材３１Ａ〜３１Ｅ，３２の全てを一つながりに一体に連結形成してピストン状部材２０に対して一体に着脱自在に構成する。【選択図】      図１
2005261512.tif 000002
【特許請求の範囲】
【請求項１】
複数の流体管路がシリンダ状部材の内周面に各々開口するように上記シリンダ状部材に接続され、上記シリンダ状部材内に軸線方向に進退自在に配置されたピストン状部材に、上記シリンダ状部材の内周面との間を軸線方向に間隔をあけた複数箇所でシールするように複数のシール部材が装着されて、上記ピストン状部材を軸線方向に移動操作することにより上記複数の流体管路の連通状態が切り換わるようにした内視鏡の操作弁において、
上記複数のシール部材の全てを一つながりに一体に連結形成して上記ピストン状部材に対して一体に着脱自在に構成したことを特徴とする内視鏡の操作弁。
【請求項２】
上記複数のシール部材が鍔状又は傘状に形成されて、それらを連結する連結部が円筒状に形成され、上記複数のシール部材と上記連結部とが弾力性のあるゴム材により一体成形されている請求項１記載の内視鏡の操作弁。
【請求項３】
上記複数のシール部材と上記連結部とからなる一体部品が上記ピストン状部材を弾力的に締め付ける状態に取り付けられていて、その一体部品が弾力的に広げることにより上記ピストン状部材に着脱自在である請求項２記載の内視鏡の操作弁。
【請求項４】
上記複数のシール部材の中に、傘状に形成された逆止弁が含まれている請求項１、２又は３記載の内視鏡の操作弁。
【発明の詳細な説明】
【技術分野】
【０００１】
この発明は内視鏡の操作弁に関する。
【背景技術】
【０００２】
内視鏡には一般に、送気送水管路や吸引管路等のような複数の流体管路がシリンダ状部材の内周面に各々開口するようにシリンダ状部材に接続され、シリンダ状部材内に軸線方向に進退自在に配置されたピストン状部材に、シリンダ状部材の内周面との間を軸線方向に間隔をあけた複数箇所でシールするように複数のシール部材が装着されて、ピストン状部材を軸線方向に移動操作することにより複数の流体管路の連通状態が切り換わるようになっている（例えば、特許文献１）。
【特許文献１】特開昭５８−１００３０
【発明の開示】
【発明が解決しようとする課題】
【０００３】
内視鏡の操作弁の使用を繰り返すと、シリンダ状部材の内周面の流体管路の開口部分と擦れ合うシール部材が損傷して、流体管路の切り換え状態が不完全になる現象が一定の頻度で発生する。
【０００４】
すると、ピストン状部材の端部に取り付けられていて取り外し易いシール部材が損傷した場合は比較的問題ないが、ピストン状部材の中間部分等に取り付けられているシール部材が損傷すると、それを取り外すためには、取り外しのための経路に装着されている他のシール部材も一つ一つ取り外して、損傷したシール部材を交換したら再び一つ一つ取り付け直す必要があり、シール部材の交換作業が極めて面倒であった。
【０００５】
そこで本発明は、ピストン状部材に取り付けられている複数のシール部材の中のどのシール部材が損傷した場合であっても簡単に交換をすることができる内視鏡の操作弁を提供することを目的とする。
【課題を解決するための手段】
【０００６】
上記の目的を達成するため、本発明の内視鏡の操作弁は、複数の流体管路がシリンダ状部材の内周面に各々開口するようにシリンダ状部材に接続され、シリンダ状部材内に軸線方向に進退自在に配置されたピストン状部材に、シリンダ状部材の内周面との間を軸線方向に間隔をあけた複数箇所でシールするように複数のシール部材が装着されて、ピストン状部材を軸線方向に移動操作することにより複数の流体管路の連通状態が切り換わるようにした内視鏡の操作弁において、複数のシール部材の全てを一つながりに一体に連結形成してピストン状部材に対して一体に着脱自在に構成したものである。
【０００７】
なお、複数のシール部材が鍔状又は傘状に形成されて、それらを連結する連結部が円筒状に形成され、複数のシール部材と連結部とが弾力性のあるゴム材により一体成形されていてもよい。
【０００８】
その場合、複数のシール部材と連結部とからなる一体部品がピストン状部材を弾力的に締め付ける状態に取り付けられていて、その一体部品が弾力的に広げることによりピストン状部材に着脱自在であるようにしてもよい。
【０００９】
また、複数のシール部材の中に、傘状に形成された逆止弁が含まれていてもよい。
【発明の効果】
【００１０】
本発明によれば、複数のシール部材の全てを一つながりに一体に連結形成してピストン状部材に対して一体に着脱自在に構成したことにより、ピストン状部材に取り付けられているシール部材が損傷したときに簡単に交換をすることができる。
【発明を実施するための最良の形態】
【００１１】
複数の流体管路がシリンダ状部材の内周面に各々開口するようにシリンダ状部材に接続され、シリンダ状部材内に軸線方向に進退自在に配置されたピストン状部材に、シリンダ状部材の内周面との間を軸線方向に間隔をあけた複数箇所でシールするように複数のシール部材が装着されて、ピストン状部材を軸線方向に移動操作することにより複数の流体管路の連通状態が切り換わるようにした内視鏡の操作弁において、複数のシール部材の全てを一つながりに一体に連結形成してピストン状部材に対して一体に着脱自在に構成する。
【実施例】
【００１２】
図面を参照して本発明の実施例を説明する。
図２は内視鏡の操作部１を示しており、操作部１の上半部の前面側に、吸引操作弁９と送気送水操作弁１０とが並んで配置され、操作部１内には、吸引や送気送水等のための流体管路が配置されている。
【００１３】
図３は送気送水操作弁１０の待機状態を示しており、操作部１内に配置されたシリンダ状部材１１は、口元が操作部１の外面に開口する状態で、固定ナット１３によって操作部１に固定されている。
【００１４】
シリンダ状部材１１の長手方向の中央付近の内周面に開口形成された給気口１４には、空気が送られてくる給気管１４ａが接続され、それよりシリンダ状部材１１の底部寄りの位置においてシリンダ状部材１１の内周面に開口形成された給水口１５には、水が送られてくる給水管１５ａが接続されている。
【００１５】
また、シリンダ状部材１１の口元寄りの位置の内周面に開口形成された送気口１６には、内視鏡の挿入部先端（図示せず）に通じる送気管１６ａが接続され、シリンダ状部材１１の底蓋１１ａに開口形成された送水口１７には、挿入部先端に通じる送水管１７ａが接続されている。
【００１６】
シリンダ状部材１１内には、軸線方向に進退自在にピストン状部材２０が配置されている。ピストン状部材２０の突端近傍位置を囲んで配置されたピストン受け筒２１の外周面には、固定ナット１３に対して係脱自在な爪を有する電気絶縁性プラスチックからなる絶縁カバー２１ａが、ピストン受け筒２１を一体にインサートした状態に形成されている。
【００１７】
ピストン状部材２０の突端部には指当て釦２４が連結されており、その指当て釦２４とピストン受け筒２１の底面との間に、圧縮コイルスプリングからなる戻しバネ２５が挟み込まれた状態に配置されている。
【００１８】
したがって、これら（ピストン受け筒２１、指当て釦２４、戻しバネ２５）とピストン状部材２０等によってピストンユニットが構成されており、ピストン状部材２０が戻しバネ２５によって外方（シリンダ状部材１１の口元から突出する方向）に付勢された状態になっている。
【００１９】
ピストン状部材２０にはその奥寄りの位置に通水用側孔２６と通気用側孔２８の二つの側孔が穿設されていて、通水用側孔２６はピストン状部材２０の軸線位置に形成された通水孔２７によってピストン状部材２０の奥側端部に連通開口し、通気用側孔２８はピストン状部材２０の軸線位置に形成された通気孔２９によってピストン状部材２０の外側端部に連通開口している。
【００２０】
ピストン状部材２０には、シリンダ状部材１１の内周面との間を軸線方向に間隔をあけた複数箇所でシールするように複数のシール部材（鍔状シール部材３１Ａ〜３１Ｅ、傘状逆止弁３２）が装着されていて、ピストン状部材２０を軸線方向に移動操作することにより複数の流体管路（即ち、給気管１４ａ、給水管１５ａ、送気管１６ａ及び送水管１７ａ）の連通状態が切り換わるようになっている。
【００２１】
そのような複数のシール部材３１Ａ〜３１Ｅ，３２は、円筒状の連結部３３によって全体が一つながりに一体に連結されており、そのような一体部品３０全体が弾力性のあるゴム材により一体成形されている。
【００２２】
一体部品３０は、ピストン状部材２０の外周面を弾力的に締め付ける状態にピストン状部材２０に取り付けられていて、ピストン状部材２０に対する相対的軸線方向への移動が、ピストン状部材２０の奥側端部と中間位置とに形成されたフランジ状端部２０ａと段部２０ｂに当接することよって規制されている。また、ピストン状部材２０に形成されている通水用側孔２６及び通気用側孔２８と位置を合わせて側孔２６′，２８′が形成されている。
【００２３】
そのように構成された一体部品３０は、弾力的に広げることにより、ピストン状部材２０のフランジ状端部２０ａを乗り越えて、図１に示されるようにピストン状部材２０から容易に取り外すことができ、同様にしてピストン状部材２０に容易に取り付けることができる。
【００２４】
したがって、複数のシール部材（鍔状シール部材３１Ａ〜３１Ｅ、傘状逆止弁３２）のうちのどのシール部材が損傷した場合であっても、それらが一つの部品に形成されている一体部品３０を、ピストン状部材２０に対して着脱して容易に交換することができる。
【００２５】
このように構成された送気送水操作弁１０は、図３に示される待機状態においては、給水口１５が二つの鍔状シール部材３１Ａ，３１Ｂによりシリンダ状部材１１の内側から塞がれ、給気口１４と送気口１６との間の送気路は傘状逆止弁３２により弾力的に軽く塞がれていて、給気口１４からシリンダ状部材１１内に送り込まれた空気が通気用側孔２８から通気孔２９を通って大気に放出される。
【００２６】
そして、図４に示されるように、指当て釦２４に指先を当てて通気孔２９を外方から塞ぐと、給気口１４からシリンダ状部材１１内に送り込まれた空気が、その圧力で傘状逆止弁３２を弾力的に変形させながら送気口１６に送り出される送気状態になる。
【００２７】
さらに、図５に示されるように、指当て釦２４に押し当てた指先でピストン状部材２０をシリンダ状部材１１内に押し込むと、給気口１４が二つの鍔状シール部材３１Ｃ，３１Ｄと指先によってシリンダ状部材１１内において塞がれる。
【００２８】
そして、給水口１５が通水用側孔２６と通水孔２７を経由して送水口１７と連通する状態になり、給水口１５からシリンダ状部材１１内に送り込まれた水が送水口１７に送り出される送水状態になる。
【００２９】
なお、本発明は上記実施例に限定されるものではなく、例えば本発明を吸引操作弁９に適用しても差し支えない。
【図面の簡単な説明】
【００３０】
【図１】本発明の実施例のピストン状部材から一体部品が取り外された状態の一部を断面で示す側面図である。
【図２】本発明の実施例の内視鏡の操作部の斜視図である。
【図３】本発明の実施例の内視鏡の操作弁の待機状態の側面断面図である。
【図４】本発明の実施例の内視鏡の操作弁の送気状態の側面断面図である。
【図５】本発明の実施例の内視鏡の操作弁の送水状態の側面断面図である。
【符号の説明】
【００３１】
１０  送気送水操作弁
１１  シリンダ状部材
１４  給気口
１４ａ  給気管
１５  給水口
１５ａ  給水管
１６  送気口
１６ａ  送気管
１７  送水口
１７ａ  送水管
２０  ピストン状部材
３０  一体部品
３１Ａ〜３１Ｅ  鍔状シール部材
３２  傘状逆止弁
３３  連結部
【図１】
2005261512.tif 000003
【図２】
2005261512.tif 000004
【図３】
2005261512.tif 000005
【図４】
2005261512.tif 000006
【図５】
2005261512.tif 000007